(57)【要約】【課題】発光ダイオードを備えた照明灯において、蛍光灯インバータ安定器と接続した際に安定して点灯させると共に整流回路を簡素化すること。【解決手段】本照明灯は、蛍光灯インバータ安定器に接続可能な照明灯であって、発光ダイオードと、前記蛍光灯インバータ安定器の一対のソケットの一方に装着される、一対の端子を備えた第１の口金と、前記蛍光灯インバータ安定器の一対のソケットの他方に装着される、一対の端子を備えた第２の口金と、前記第１の口金の前記一対の端子間に並列接続された第１の抵抗及び第１のコンデンサと、前記第２の口金の前記一対の端子間に並列接続された第２の抵抗及びダ第２のコンデンサと、前記第１の口金の前記一対の端子の何れか一方のみと直接接続されて前記第１の口金から供給される交流電圧を整流すると共に、前記第２の口金の前記一対の端子の何れか一方のみと直接接続されて前記第２の口金から供給される交流電圧を整流し、整流後の電圧を前記発光ダイオードに供給する整流回路と、を有する。【選択図】図９
2016212966.tif 000002
【特許請求の範囲】
【請求項１】
蛍光灯インバータ安定器に接続可能な照明灯であって、
発光ダイオードと、
前記蛍光灯インバータ安定器の一対のソケットの一方に装着される、一対の端子を備えた第１の口金と、
前記蛍光灯インバータ安定器の一対のソケットの他方に装着される、一対の端子を備えた第２の口金と、
前記第１の口金の前記一対の端子間に並列接続された第１の抵抗及び第１のコンデンサと、
前記第２の口金の前記一対の端子間に並列接続された第２の抵抗及び第２のコンデンサと、
前記第１の口金の前記一対の端子の何れか一方のみと直接接続されて前記第１の口金から供給される交流電圧を整流すると共に、前記第２の口金の前記一対の端子の何れか一方のみと直接接続されて前記第２の口金から供給される交流電圧を整流し、整流後の電圧を前記発光ダイオードに供給する整流回路と、を有することを特徴とする照明灯。
【請求項２】
前記第１の口金の前記整流回路が直接接続されていない端子、及び前記第２の口金の前記整流回路が直接接続されていない端子に、前記蛍光灯インバータ安定器から供給される交流電圧は、前記第１のコンデンサ及び前記第２のコンデンサを経由して前記整流回路に供給されることを特徴とする請求項１記載の照明灯。
【請求項３】
前記第１のコンデンサ及び前記第２のコンデンサの容量は０．１μＦ以上であることを特徴とする請求項１又は２記載の照明灯。
【請求項４】
前記第１のコンデンサ及び前記第２のコンデンサの容量は１μＦ以下であることを特徴とする請求項３記載の照明灯。
【請求項５】
前記第１の抵抗及び前記第２の抵抗は、蛍光灯のフィラメントに相当するインピーダンスを生成することを特徴とする請求項１乃至４の何れか一項記載の照明灯。
【請求項６】
請求項１乃至５の何れか一項記載の照明灯と、
前記照明灯を装着する灯具と、を備えていることを特徴とする照明装置。
【請求項７】
蛍光灯インバータ安定器に接続可能な照明灯に用いられる点灯制御回路であって、
発光ダイオードと、
前記蛍光灯インバータ安定器の一対のソケットの一方に装着される、前記照明灯の一対の端子を備えた第１の口金の前記一対の端子間に並列接続された第１の抵抗及び第１のコンデンサと、
前記蛍光灯インバータ安定器の一対のソケットの他方に装着される、前記照明灯の一対の端子を備えた第２の口金の前記一対の端子間に並列接続された第２の抵抗及び第２のコンデンサと、
前記第１の口金の前記一対の端子の何れか一方のみと直接接続されて前記第１の口金から供給される交流電圧を整流すると共に、前記第２の口金の前記一対の端子の何れか一方のみと直接接続されて前記第２の口金から供給される交流電圧を整流し、整流後の電圧を前記発光ダイオードに供給する整流部と、を有することを特徴とする点灯制御回路。
【発明の詳細な説明】
【技術分野】
【０００１】
本発明は、照明灯、照明装置、及び点灯制御回路に関する。
【背景技術】
【０００２】
近年、低消費電力や長寿命等の特長を有する発光ダイオード（Light Emitting Diode、ＬＥＤ）を用いた照明灯（以降、ＬＥＤ照明灯とする場合がある）が注目されている。蛍光灯インバータ安定器の出力を入力とするＬＥＤ照明灯もそのうちの１つであり、従来の蛍光灯と置き換えて用いることができる。
【０００３】
ところで、蛍光灯インバータ安定器の中には、起動時に異常検出を行い、異常が検出されると保護動作により蛍光灯を不点灯とするものがある。このような蛍光灯インバータ安定器に蛍光灯に置き換えてＬＥＤ照明灯を取り付けると、保護動作によりＬＥＤ照明灯が不点灯となる場合がある。
【０００４】
これは、蛍光灯では起動時には電流が流れないが、ＬＥＤ照明灯では起動時でも電流が流れる場合があるため、蛍光灯インバータ安定器が異常を検出して保護動作を行ったためであると考えられる。従って、ＬＥＤ照明灯を蛍光灯インバータ安定器に接続するためには、この問題を解決する必要がある。
【０００５】
この問題を解決する方法の一例としては、インバータ安定器からの高周波を整流する全波整流回路と、全波整流回路にインダクタ素子を介して接続した平滑コンデンサと、平滑コンデンサに接続したＬＥＤユニットからなり、インダクタ素子を蛍光灯インバータ安定器からの周波数の２倍で充分なインピーダンスを有する値に設定する技術が開示されている。
【発明の概要】
【発明が解決しようとする課題】
【０００６】
しかしながら、ＬＥＤ照明灯の入力部には両側に一対の口金があり、夫々の口金には２つの端子が設けられている（つまり、合計で４端子）。そして、上記の技術では、夫々の口金に対して４個のダイオードをブリッジ接続した全波整流回路が設けられている。そのため、部品点数が多く回路構成が複雑であった。
【０００７】
本発明は、上記の点に鑑みてなされたものであり、発光ダイオードを備えた照明灯において、蛍光灯インバータ安定器と接続した際に安定して点灯させると共に整流回路を簡素化することを課題とする。
【課題を解決するための手段】
【０００８】
本照明灯は、蛍光灯インバータ安定器に接続可能な照明灯であって、発光ダイオードと、前記蛍光灯インバータ安定器の一対のソケットの一方に装着される、一対の端子を備えた第１の口金と、前記蛍光灯インバータ安定器の一対のソケットの他方に装着される、一対の端子を備えた第２の口金と、前記第１の口金の前記一対の端子間に並列接続された第１の抵抗及び第１のコンデンサと、前記第２の口金の前記一対の端子間に並列接続された第２の抵抗及びダ第２のコンデンサと、前記第１の口金の前記一対の端子の何れか一方のみと直接接続されて前記第１の口金から供給される交流電圧を整流すると共に、前記第２の口金の前記一対の端子の何れか一方のみと直接接続されて前記第２の口金から供給される交流電圧を整流し、整流後の電圧を前記発光ダイオードに供給する整流回路と、を有することを要件とする。
【発明の効果】
【０００９】
開示の技術によれば、発光ダイオードを備えた照明灯において、蛍光灯インバータ安定器と接続した際に安定して点灯させると共に整流回路を簡素化することができる。
【図面の簡単な説明】
【００１０】
【図１】第１の実施の形態に係る照明装置の外観を例示する斜視図である。
【図２】第１の実施の形態に係る照明灯を例示する横断面図である。
【図３】第１の実施の形態に係る照明灯の回路ブロックを例示する図である。
【図４】第１の実施の形態の変形例１に係る照明灯の回路ブロックを例示する図である。
【図５】第１の実施の形態の変形例２に係る照明灯の回路ブロックを例示する図である。
【図６】第１の実施の形態の変形例３に係る照明灯の回路ブロックを例示する図である。
【図７】第１の実施の形態の変形例４に係る照明灯の回路ブロックを例示する図である。
【図８】第１の実施の形態の変形例５に係る照明灯の回路ブロックを例示する図である。
【図９】第１の実施の形態に係る照明灯の主要な回路の結線を例示する図である。
【図１０】比較例に係る照明灯の主要な回路の結線を例示する図である。
【図１１】第１の実施の形態に係る照明灯の給電経路を説明する図（その１）である。
【図１２】第１の実施の形態に係る照明灯の給電経路を説明する図（その２）である。
【図１３】第１の実施の形態に係る照明灯の給電経路を説明する図（その３）である。
【図１４】第１の実施の形態に係る照明灯の給電経路を説明する図（その４）である。
【発明を実施するための形態】
【００１１】
以下、図面を参照して発明を実施するための形態について説明する。各図面において、同一構成部分には同一符号を付し、重複した説明を省略する場合がある。
【００１２】
〈第１の実施の形態〉
図１は、第１の実施の形態に係る照明装置の外観を例示する斜視図である。図１を参照するに、照明装置１は、照明灯２と、照明灯２を着脱可能に装着する灯具５とを有する。
【００１３】
照明灯２は、透光部２０と、口金２１及び２２とを有する。透光部２０は、内蔵された光源（後述のＬＥＤモジュール２７）から出射された光を透過する樹脂製やガラス製等の部材からなり、一端部に設けられた口金２１及び他端部に設けられた口金２２により封止されている。透光部２０は、例えば、直管形とすることができる。
【００１４】
口金２１（第１の口金）は、一対の凸型の端子２１１及び２１２を備えている。同様に、口金２２（第２の口金）は、一対の凸型の端子２２１及び２２２を備えている。但し、端子の一部は図１では図示されていない（後述の図９参照）。なお、透光部２０の内部には、電気回路が設けられている（後述の図３参照）。
【００１５】
灯具５は、蛍光灯安定器５０（図９参照）と、照明灯２を着脱可能に装着する一対のソケット５１及び５２とを有し、商用交流電源と接続可能に構成されている。商用交流電源の周波数は、例えば、５０Ｈｚや６０Ｈｚである。商用交流電源からの電力は、蛍光灯安定器５０に供給される。
【００１６】
蛍光灯安定器５０は、例えば、周知の蛍光灯グロー安定器、蛍光灯ラピッド安定器、蛍光灯インバータ安定器等である。但し、後述のように、照明灯２は商用交流電源と直結可能に構成されており、その場合には蛍光灯安定器５０は不要となる。このように、照明灯２は、蛍光灯グロー安定器、蛍光灯ラピッド安定器、蛍光灯インバータ安定器、及び商用交流電源の何れとも接続可能に構成することができる。
【００１７】
ソケット５１は、凹型の端子５１１及び５１２を備えている。同様に、ソケット５２は、凹型の端子５２１及び５２２を備えている。但し、端子の一部は図１では図示されていない（後述の図９参照）。
【００１８】
照明灯２の口金２１の端子２１１及び２１２は、灯具５のソケット５１の端子５１１及び５１２に差し込まれて嵌合し、電気的に接続される。同様に、照明灯２の口金２２の端子２２１及び２２２は、灯具５のソケット５２の端子５２１及び５２２に差し込まれて嵌合し、電気的に接続される。
【００１９】
図２は、第１の実施の形態に係る照明灯を例示する横断面図である。図２に示すように、照明灯２において、円筒形の透光部２０の内部には、フレーム４１０が固定されている。フレーム４１０の一方側には、ＬＥＤモジュール２７が実装されたＬＥＤ基板４２０が着脱可能に装着されている。又、フレーム４１０の他方側にはホルダ４３０が設けられ、ホルダ４３０には整流回路２４やドライブ回路２６等が実装されたＤＲＶ基板４４０が着脱可能に装着されている。
【００２０】
フレーム４１０及びホルダ４３０は、長手方向において略同一の断面形状とされており、透光部２０の端部側から長手方向にスライドさせることで、透光部２０の内部に挿入可能に構成されている。同様に、ＬＥＤ基板４２０とＤＲＶ基板４４０は、長手方向において略同一の断面形状とされており、透光部２０の端部側から長手方向にスライドさせることで、透光部２０の内部に挿入可能に構成されている。
【００２１】
ＬＥＤ基板４２０とＤＲＶ基板４４０との間にホルダ４３０を設けることにより、ＤＲＶ基板４４０の熱がＬＥＤ基板４２０に伝わり難くなり、ＬＥＤモジュール２７に与える熱の影響が全てのＬＥＤで略均一になる。このため、時間の経過と共に部分的にＬＥＤの寿命が短くなる不都合を防止できる。
【００２２】
このように、照明灯２の形状は直管形の蛍光灯と類似しており、灯具５に取り付けられる既存の蛍光灯と容易に交換可能である。但し、照明灯２の形状は、蛍光灯と類似していなくても構わない。例えば、透光部２０の断面形状が円筒形でなく半円筒形等であってもよい。
【００２３】
図３は、第１の実施の形態に係る照明灯の回路ブロックを例示する図である。図３を参照するに、照明灯２は、主要部として、口金２１及び２２と、フィルタ回路２３と、整流回路２４と、ドライブ回路２６と、ＬＥＤモジュール２７と、インバータ検知回路２８とを有する。
【００２４】
フィルタ回路２３は、ＥＭＩ対策フィルタであり、照明灯２から周囲に発する電磁ノイズを低減するための回路である。フィルタ回路２３は、例えば、ライン間コンデンサ（Ｘコンデンサ）、対アースコンデンサ（Ｙコンデンサ）、コモンモードコイル、ノーマルモードコイル等を直列や並列に接続した回路とすることができる。照明灯２は、フィルタ回路２３を搭載することで、電磁ノイズを低減することが可能となり、ＥＭＩ（Electro-Magnetic Interference ）規格を満足することができる。
【００２５】
なお、フィルタ回路２３は、切替回路６１により、バイパス可能に構成されている。切替回路６１は、例えば、リレーや半導体スイッチ（ＦＥＴ等）により構成することができる。
【００２６】
整流回路２４は、口金２１及び２２から直接、又はフィルタ回路２３を経由して供給される交流電圧を整流し、整流後の電圧をドライブ回路２６を介してＬＥＤモジュール２７に供給する回路である。
【００２７】
ドライブ回路２６は、複数の発光ダイオードを備えたＬＥＤモジュール２７を駆動する回路である。ドライブ回路２６は、例えば、昇降圧回路や定電流回路等を含む構成とすることができる。ドライブ回路２６を設けることで、整流回路２４から供給される電圧が変動してもＬＥＤモジュール２７に定格を超えない適正な電流を供給することが可能となり、ＬＥＤモジュール２７の故障を防止すると共に省電力を実現できる。
【００２８】
照明灯２は、蛍光灯グロー安定器、蛍光灯ラピッド安定器、蛍光灯インバータ安定器、及び商用交流電源の何れの電力供給部とも接続できるが、接続される対象により使用する回路を選択可能に構成されている。
【００２９】
インバータ検知回路２８は、照明灯２が灯具５に接続されて通電された際に、灯具５に内蔵された蛍光灯安定器５０が蛍光灯インバータ安定器であるか否かを検知する回路である。蛍光灯安定器５０が蛍光灯インバータ安定器である場合、蛍光灯安定器５０から照明灯２に入力される信号の周波数は数１０ＫＨｚ程度の高周波である。
【００３０】
一方、蛍光灯安定器５０が蛍光灯グロー安定器、蛍光灯ラピッド安定器、商用交流電源の何れかである場合、蛍光灯安定器５０から（或いは、商用交流電源から直接）照明灯２に入力される信号の周波数は５０〜６０Ｈｚ程度の低周波である。そこで、インバータ検知回路２８は、例えば、照明灯２に入力される信号の周波数に基づいて、灯具５に内蔵された蛍光灯安定器５０が蛍光灯インバータ安定器であるか否かを検知することができる。
【００３１】
インバータ検知回路２８が、灯具５に内蔵された蛍光灯安定器５０が蛍光灯インバータ安定器であることを検知した場合には、切替回路６１により、フィルタ回路２３がバイパスされる。すなわち、灯具５に内蔵された蛍光灯安定器５０が蛍光灯インバータ安定器である場合には、蛍光灯インバータ安定器から口金２１及び２２を介して照明灯２に入力された信号は、フィルタ回路２３をバイパスして整流回路２４に供給される。
【００３２】
又、図４に記載のように、フィルタ回路２３とは別に、高周波用フィルタ回路６３を設ける構成としてもよい。そして、インバータ検知回路２８が、灯具５に内蔵された蛍光灯安定器５０が蛍光灯インバータ安定器であることを検知した場合には、切替回路６１により、高周波用フィルタ回路６３を通るようにしてもよい。そのため、フィルタ回路２３をバイパスしても、ＥＭＩノイズの問題は生じず、又、ＬＥＤモジュール２７に定格を超えない適正な電流を供給することが可能である。又、蛍光灯安定器５０にフィルタ回路に相当する機能が備えられている場合もある。
【００３３】
更に、図５に記載のように、ドライブ回路２６は、切替回路により、バイパス可能に構成されてもよい。切替回路は、例えば、リレーや半導体スイッチ（ＦＥＴ等）により構成することができる。切替回路６１によりフィルタ回路２３がバイパスされた場合には、整流回路２４の出力は、ドライブ回路２６をバイパスしてＬＥＤモジュール２７に供給される。なお、図５の照明灯においても、インバータ検知回路２８が、灯具５に内蔵された蛍光灯安定器５０が蛍光灯インバータ安定器であることを検知した場合には、切替回路６１により、高周波用フィルタ回路を通るようにしてもよい。
【００３４】
更に、図６に記載のように、ドライブ回路２６とは別に、第２のドライブ回路６６を設ける構成にしてもよい。
【００３５】
更に、図７に記載のように、照明灯２は、ラピッド検知回路２９を設ける構成にしてもよい。ラピッド検知回路２９は、照明灯２が灯具５に接続されて通電された際に、灯具５に内蔵された蛍光灯安定器５０が蛍光灯ラピッド安定器であるか否かを検知する回路である。例えば、ラピッド検知回路２９が、灯具５に内蔵された蛍光灯安定器５０が蛍光灯ラピッド安定器であることを検知した場合には、フィルタ回路２３やドライブ回路２６はバイパスされないが、ドライブ回路２６の仕様が変更されるようにすることができる。
【００３６】
なお、インバータ検知回路２８が、蛍光灯安定器５０が蛍光灯インバータ安定器であることを検知せず、かつ、ラピッド検知回路２９が、蛍光灯安定器５０が蛍光灯ラピッド安定器であることを検知しない場合もある。この場合は、蛍光灯安定器５０が蛍光灯グロー安定器である、又は、蛍光灯安定器５０を介さず照明灯２が商用交流電源に直結されたと認識し、口金２１及び２２を介して照明灯２に入力された信号はフィルタ回路２３を経由して整流回路２４に供給される。そして、整流回路２４の出力は、ドライブ回路２６を経由してＬＥＤモジュール２７に供給される。又、ドライブ回路２６の仕様は、蛍光灯グロー安定器及び商用交流電源に適合したものが選択される。
【００３７】
図６及び図７の照明灯においても、インバータ検知回路２８が、灯具５に内蔵された蛍光灯安定器５０が蛍光灯インバータ安定器であることを検知した場合には、切替回路６１により、高周波用フィルタ回路を通るようにしてもよい。
【００３８】
更に、図８に記載のように、フィルタ回路２３及び高周波用フィルタ回路６３を設けない構成にしてもよい。
【００３９】
以上、図３乃至図８を参照しながら、照明灯２に搭載される回路ブロックの全体的な動作の概略を説明した。次に、図９を参照しながら、照明灯２の特徴的な動作について説明する。なお、図９では、本実施の形態に係る照明灯２の主要な回路の結線のみを示し、特徴的な動作に関係しない部分の結線については図示を省略している。
【００４０】
図９において、照明灯２の口金２１の端子２１１及び２１２は、灯具５のソケット５１の端子５１１及び５１２に差し込まれて嵌合し、電気的に接続されている。同様に、照明灯２の口金２２の端子２２１及び２２２は、灯具５のソケット５２の端子５２１及び５２２に差し込まれて嵌合し、電気的に接続されている。
【００４１】
照明灯２の口金２１の端子２１１と端子２１２との間には、抵抗２１５（第１の抵抗）とコンデンサ２１６（第１のコンデンサ）が並列接続されている。同様に、照明灯２の口金２２の端子２２１と端子２２２との間には、抵抗２２５（第２の抵抗）とコンデンサ２２６（第２のコンデンサ）が並列接続されている。
【００４２】
抵抗２１５及び２２５は、蛍光灯のフィラメントに相当するインピーダンスを生成する回路である。抵抗２１５及び２２５の抵抗値を、蛍光灯のフィラメントに相当する適切なインピーダンス（数Ω〜数１００Ω程度）とすることにより、照明灯２を蛍光灯インバータ安定器と接続した際に安定して点灯させることができる。コンデンサ２１６及び２２６の機能については後述する。
【００４３】
整流回路２４は、例えば、逆回復時間が短い所謂ファーストリカバリダイオード等を用いて構成されたブリッジ型全波整流回路である。整流回路２４は、口金２１の一対の端子の何れか一方のみと直接接続されて口金２１から供給される交流電圧を整流すると共に、口金２２の一対の端子の何れか一方のみと直接接続されて口金２２から供給される交流電圧を整流する。なお、図９では、一例として、整流回路２４は口金２１の端子２１１及び口金２２の端子２２２と直接接続されているが、これには限定されない。例えば、整流回路２４は口金２１の端子２１２及び口金２２の端子２２１と直接接続されてもよい。
【００４４】
整流回路２４は、蛍光灯安定器５０が蛍光灯インバータ安定器以外である場合、口金２１及び２２からフィルタ回路２３（図９では図示せず）を経由して入力される交流電圧を整流する。そして、整流回路２４により整流された整流後の電圧は、整流回路２４の出力部である正側配線３１及び負側配線３２を介してドライブ回路２６（図９では図示せず）を経由して、ＬＥＤモジュール２７の両端に供給される。
【００４５】
一方、整流回路２４は、蛍光灯安定器５０が蛍光灯インバータ安定器である場合、フィルタ回路２３を経由せずに蛍光灯インバータ安定器から直接入力される交流電圧を整流する。そして、整流回路２４により整流された整流後の電圧は、正側配線３１及び負側配線３２に出力され、ドライブ回路２６をバイパスして、ＬＥＤモジュール２７の両端に供給される。
【００４６】
ＬＥＤモジュール２７は、複数の発光ダイオード２７１が正側配線３１と負側配線３２との間に直列に接続された直列接続部（図９では６個の発光ダイオード２７１を直列に接続）を複数個有している。そして、各直列接続部は、複数列並列に接続されている。正側配線３１と負側配線３２との間の電圧が、直列接続部を構成する複数の発光ダイオード２７１の順方向電圧の総和を超えると、各発光ダイオード２７１に電流が流れて発光する。
【００４７】
ところで、蛍光灯インバータ安定器によって、口金２１の端子２１１及び口金２２の端子２２２を使用して蛍光灯側に給電する第１のタイプと、照明灯２の口金２１の端子２１２及び口金２２の端子２２１を使用して蛍光灯側に給電する第２のタイプとが存在する。更に、口金２１の端子２１１及び口金２２の端子２２１を使用して蛍光灯側に給電する第３のタイプと、照明灯２の口金２１の端子２１２及び口金２２の端子２２２を使用して蛍光灯側に給電する第４のタイプとが存在する。従来は、図１０の比較例に示す回路により４つのタイプに対応していた。
【００４８】
図１０に示す照明装置１Ｘの照明灯２Ｘでは、コンデンサ２１６及び２２６は設けられていない。その代り、２つの整流回路２４Ａ及び２４Ｂが設けられている。このように、２つの整流回路２４Ａ及び２４Ｂを設けることにより、第１のタイプ〜第４のタイプの何れの蛍光灯インバータ安定器が接続された場合にも、整流後の電圧が正側配線３１と負側配線３２との間に出力される。
【００４９】
しかしながら、図１０の回路では、整流回路２４Ａ及び２４Ｂの回路構成が複雑である。そこで、本実施の形態に係る照明灯２では、抵抗２１５に並列接続されるコンデンサ２１６と、抵抗２２５に並列接続されるコンデンサ２２６とを追加することで、１つの整流回路２４のみで必要な給電経路を確保し、整流回路の簡素化を実現した。
【００５０】
照明灯２では、第１のタイプの蛍光灯インバータ安定器が接続された場合には、図１１の給電経路Ａのように給電が行われ、コンデンサ２１６及び２２６は給電経路とはならない。
【００５１】
これに対して、第２のタイプの蛍光灯インバータ安定器が接続された場合には、図１２の給電経路Ｂのように給電が行われる。すなわち、蛍光灯安定器５０から照明灯２に入力される信号（周波数が数１０ＫＨｚ程度の高周波の信号）は、コンデンサ２１６及び２２６を経由して整流回路２４側に供給される。
【００５２】
又、第３のタイプの蛍光灯インバータ安定器が接続された場合には、図１３の給電経路Ｃのように給電が行われる。すなわち、蛍光灯安定器５０から口金２１の端子２１１を経由して照明灯２に入力される信号（周波数が数１０ＫＨｚ程度の高周波の信号）は、コンデンサ２１６を給電経路とせずに直接整流回路２４側に供給される。一方、口金２２の端子２２１を経由して照明灯２に入力される信号（周波数が数１０ＫＨｚ程度の高周波の信号）は、コンデンサ２２６を経由して整流回路２４側に供給される。
【００５３】
又、第４のタイプの蛍光灯インバータ安定器が接続された場合には、図１４の給電経路Ｄのように給電が行われる。すなわち、蛍光灯安定器５０から口金２１の端子２１２を経由して照明灯２に入力される信号（周波数が数１０ＫＨｚ程度の高周波の信号）は、コンデンサ２１６を経由して整流回路２４側に供給される。一方、口金２２の端子２２２を経由して照明灯２に入力される信号（周波数が数１０ＫＨｚ程度の高周波の信号）は、コンデンサ２２６を給電経路とせずに直接整流回路２４側に供給される。
【００５４】
コンデンサ２１６及び２２６は、蛍光灯安定器５０から照明灯２に入力される高周波の信号に対してインピーダンスが十分低くなる任意の容量とすることができるが、コンデンサ２１６及び２２６の容量は０．１μＦ以上とすることが好ましい。コンデンサ２１６及び２２６の容量が０．１μＦ未満であると、蛍光灯安定器５０から照明灯２に入力される高周波の信号に対してインピーダンスが十分低くならないからである。
【００５５】
又、コンデンサ２１６及び２２６の容量は１μＦ以下とすることが好ましい。コンデンサ２１６及び２２６の容量を１μＦとすることで、蛍光灯安定器５０から照明灯２に入力される高周波の信号に対してインピーダンスを十分に低減できるからである。又、コンデンサ２１６及び２２６の容量を１μＦよりも大きくすると、過剰な容量でインピーダンスが低くなり過ぎ、インバータ安定器の点灯シーケンスにおいて異常と検知され、不点灯に陥るおそれがあるからである。
【００５６】
このように、口金２１の一対の端子間に抵抗２１５及びコンデンサ２１６を並列接続すると共に、口金２２の一対の端子間に抵抗２２５及びコンデンサ２２６を並列接続する。そして、口金２１の一対の端子の何れか一方のみを整流回路２４に直接接続すると共に、口金２２の一対の端子の何れか一方のみを整流回路２４に直接接続する。
【００５７】
これにより、口金２１の整流回路２４が直接接続されていない端子、及び口金２２の整流回路２４が直接接続されていない端子に蛍光灯インバータ安定器から供給される交流電圧を、コンデンサ２１６及びコンデンサ２２６を経由して整流回路２４に供給できる。その結果、整流回路を簡素化し、１つの整流回路２４のみにより蛍光灯インバータ安定器から供給される交流電圧を整流することが可能となる。
【００５８】
整流回路２４では、整流用のダイオードを４個使用しているが、これは整流用のダイオードを８個使用している整流回路２４Ａ及び２４Ｂ（比較例）と比べると部品点数が半減しており、照明灯２のコストダウンに寄与することができる。
【００５９】
以上、好ましい実施の形態及びその変形例について詳説したが、上述した実施の形態及びその変形例に制限されることはなく、特許請求の範囲に記載された範囲を逸脱することなく、上述した実施の形態及びその変形例に種々の変形及び置換を加えることができる。
【００６０】
例えば、上記実施の形態では、照明灯の例として、蛍光灯グロー安定器、蛍光灯ラピッド安定器、蛍光灯インバータ安定器、及び商用交流電源の何れとも接続できるものを示した。しかし、本発明は、少なくとも蛍光灯インバータ安定器に接続可能な照明灯に適用できる。すなわち、蛍光灯インバータ安定器のみに接続可能な照明灯にも適用できるし、蛍光灯インバータ安定器に接続可能であり、他の蛍光灯安定器や商用交流電源とも接続可能な照明灯にも適用できる。
【００６１】
又、蛍光灯インバータ安定器のみに接続可能な照明灯の場合には、図３乃至図８の回路ブロック中の必要なもののみを搭載すればよい。例えば、インバータ検知回路やラピッド検知回路、フィルタ回路、ドライブ回路等は搭載しなくてもよい。
【符号の説明】
【００６２】
１  照明装置
２  照明灯
５  灯具
２０  透光部
２１、２２  口金
２３  フィルタ回路
２４  整流回路
２６  ドライブ回路
２７  ＬＥＤモジュール
２８  インバータ検知回路
２９  ラピッド検知回路
３１  正側配線
３２  負側配線
５０  蛍光灯安定器
５１、５２  ソケット
６１  切替回路
６３  高周波用フィルタ回路
６６  第２のドライブ回路
２１１、２１２、２２１、２２２、５１１、５１２、５２１、５２２  端子
２１５、２２５  抵抗
２１６、２２６  コンデンサ
２７１  発光ダイオード
４１０  フレーム
４２０  ＬＥＤ基板
４３０  ホルダ
４４０  ＤＲＶ基板
【先行技術文献】
【特許文献】
【００６３】
【特許文献１】特開２００８−２７７１８８号公報
【図１】
2016212966.tif 000003
【図２】
2016212966.tif 000004
【図３】
2016212966.tif 000005
【図４】
2016212966.tif 000006
【図５】
2016212966.tif 000007
【図６】
2016212966.tif 000008
【図７】
2016212966.tif 000009
【図８】
2016212966.tif 000010
【図９】
2016212966.tif 000011
【図１０】
2016212966.tif 000012
【図１１】
2016212966.tif 000013
【図１２】
2016212966.tif 000014
【図１３】
2016212966.tif 000015
【図１４】
2016212966.tif 000016